(57)【要約】【課題】  自動調整機能を有するトラック用錠の掛金機構を提供する。【解決手段】  トラック荷台の後部開口を覆うシャッターの下端縁部にケース８を装着し、このケース８内に、ケース外下方に突出する下端部を門形に成形した掛金３を、上下方向に移動可能に案内すると共に、ばね１５によって下方に付勢し、一方、掛金にストッパー７を、ケース内に係止部１１を夫々形成して、掛金に外力が作用しない常態における掛金のケースからの突出量を一定に保ち、他方、ケース内部空間において掛金がシャッターの厚さ方向に遊動できるように隙間εを設ける。【選択図】  図５
2006177044.tif 000002
【特許請求の範囲】
【請求項１】
トラック荷台の後部開口を覆うシャッターの下端縁部にケースを装着し、このケース内に、ケース外下方に突出する下端部を門形に成形した掛金を、上下方向に移動可能に案内すると共に下方に付勢し、一方、掛金にストッパーを、ケース内に係止部を夫々形成して、掛金に外力が作用しない常態における掛金のケースからの突出量を一定に保ち、他方、ケース内部空間において掛金がシャッターの厚さ方向に遊動できるようにしたことを特徴とするトラック用錠の掛金機構。
【発明の詳細な説明】
【技術分野】
【０００１】
この発明は、トラック用錠の掛金機構（以下単に掛金機構という）に係り、特に、自動調整機能を有する掛金機構に関する。
【背景技術】
【０００２】
トラック用錠は、例えば後記特許文献１及び２に記載されているように、荷箱の後部観音開きの扉に設けられた関（かんぬき）様のハンドルを扉外面に装着された掛金装置のフックレバーによって錠止する、所謂ハンドルキャッチャーと称される形式のものが多い。
【０００３】
しかしながら、近年、図１に示すように、トラックの荷箱の後部開口を巻上げ式のシャッター１で開閉するようにし、その内側の下端縁付近に装着された掛金機構２の門形の（図３参照）掛金３を、荷台のシャッター１より下方部分に設けられた電気錠形式の錠前４（図２参照）により係止するタイプのトラック用錠が実用されている。
【０００４】
この場合、錠前４内には上端にフックを形成したフックレバー５が荷箱の側面に平行な平面内で回動可能に支承されており、待機状態ではその上端が外側（図１で左側）に倒れているフックの下顎を、錠前の掛金口６（図２参照）に挿入された掛金３の先端により下方に押動し、それによりフックレバー５を時計方向に回動させて掛金３の下端横棒部をフックにより係止する。
【０００５】
なお、錠前４内のフックの錠止機構及び解錠操作については、この発明と直接関係が無いので、更に詳細な説明は省略する。
【特許文献１】特開２００１−２９５５１４
【特許文献２】特開２００２−２２７４９４
【発明の開示】
【発明が解決しようとする課題】
【０００６】
図１及び２に示すトラック用錠は、シャッター１を下ろす一動作でシャッターの閉鎖と施錠とが同時に行えるので便利である。
【０００７】
しかしながら、このトラック用錠は、その作動原理上、掛金３の先端とフックレバー５とのシャッター１の厚み方向（図１で左右方向）の相対位置関係が所定の範囲内にないと作動が円滑でなくなる、という恨みが残る。
【０００８】
例えば、取付誤差或いはシャッター１のガイド溝の遊び、等で掛金３のシャッター１の厚さ方向の位置が所定の範囲内にない場合、それが甚だしければ掛金３の先端が錠前４の掛金口６（図２参照）の斜面に衝止されて施錠が行われない。
【０００９】
また、かろうじて掛金口６ないに挿入されたとしても、掛金口６の内面と摺接して施錠作動が円滑でなくなるし、また、掛金とフックレバーとの係合の度合いが浅くなり、施錠が不完全になる。
【００１０】
そこで、この発明は、掛金が揺動することができ、以て掛金の先端とフックレバーとの相対位置関係が設計値から外れても上記した不都合が生じない掛金機構を提供することを目的としている。
【課題を解決するための手段】
【００１１】
上記の目的を達成するため、この発明は、トラック荷台の後部開口を覆うシャッターの下端縁部にケースを装着し、このケース内に、ケース外下方に突出する下端部を門形に成形した掛金を、上下方向に移動可能に案内すると共に下方に付勢し、一方、掛金にストッパーを、ケース内に係止部を夫々形成して、掛金に外力が作用しない常態における掛金のケースからの突出量を一定に保ち、他方、ケース内部空間において掛金がシャッターの厚さ方向に遊動できるようにしたことを特徴とする。
【発明の効果】
【００１２】
上記のように構成された請求項１に記載の発明による掛金機構は、ケース内において掛金がシャッターの厚さ方向に遊動でき、したがって掛金の下端がシャッターの厚さ方向に揺動できると共に、掛金全体が鉛直な軸線回りを回動できるので、錠前と掛金機構との間の相対位置関係が設計値から外れていても自動的に調整が行われ、施錠が円滑に行われる、という所期の効果を奏する。
【００１３】
また、同じ理由により、水平面に対する錠前及び掛金機構の投影の相対角度関係が狂っていても、掛金が捩れた状態で錠前の掛金口に円滑に挿入できる、等種々の効果を奏する。
【発明を実施するための最良の形態】
【００１４】
掛金機構の内部空間内で掛金が遊動できるようにする、という簡単な構成で、掛金をシャッターの厚さ方向に揺動できると共に、鉛直線回りを回動できるようにした。
【実施例１】
【００１５】
以下、この発明の実施例を図２乃至図６を参照して説明する。
図３において符号３は掛金を示し、図示の実施例における掛金３は、全体の形状が細長い矩形で、その横断面形状はどの部分も略方形である（図５参照）。
【００１６】
また、掛金３の長手方向における中央の内側には、両側の長手部分を繋げるように、断面が略方形のストッパ杆７が跨設されており、掛金の長手部分の中央を貫通してストッパ杆７の端面に螺合する図示しない固定ねじにより、ストッパ杆７と掛金３とが一体的に結合されている。
【００１７】
なお、このとき、ストッパ杆７の上、下面が水平になるように掛金３に結合するものとする。
【００１８】
なお、図示の実施例では、掛金３のストッパ杆７に関し上、下側共夫々門形に成形されることになるが、上側を門形に成形することはこの発明の必須の構成ではない。
【００１９】
一方、図４及び図５において符号８はケース本体を示し、このケース本体８の内側には掛金３のほぼ上半分を収納し、下端が開いた凹部９が形成されている。
【００２０】
この凹部９の下端部には係止部１１が、更にその上方にはばね保持段部１２が夫々形成されており、このばね保持段部１２の中央部には、下方に開いたばね保持凹部１３が形成されている。
【００２１】
なお、上記係止部１１、ばね保持段部１２の凹部９上面（図５で左側の面）はケース本体の取付面１４と同一になるように加工するものとし、後述するように凹部９内に掛金３を収納したとき、掛金３と取付面１４との間に隙間ε（図５参照）が存在するように各部の寸法を設定するものとする。
【００２２】
また、凹部９の図４における左右方向の寸法は、掛金３の幅よりやや大きく設定し、掛金３を容易に凹部９内に収納できるようにする。
【００２３】
上記のように構成されたケース本体８の凹部９に、図５に示すように、係止部１１上にストッパ杆７を載置するようにして掛金３を凹部９内に収納する。
【００２４】
そして、図５に示すように、上端をばね保持凹部１３に収納させた圧縮コイルはね１５をばね保持凹部１３とストッパ杆７の上面との間に弾装し、図６に示すように、ケース本体８を、スペーサ１６を介して、シャッター１の内面下端部に装着する。
【００２５】
図示の実施例では、図６に示すように、内面に取付ボルト１７を植設した取付板１８とスペーサ１６とでシャッター１を挟み、シャッター１、スペーサ１６及びケース本体の両側を貫通する取付ボルト１７、１７の先端を図示しないナットによりナット止めする。
【００２６】
上記のように構成されたこの発明の一実施例による掛金機構は、掛金に外力が作用しない常態においては、圧縮コイルばね１５の弾力によって係止部１１に弾接されたストッパ杆７の平面と、係止部の上面の水平な平面との係合により、図６に実線で示すように、門形の掛金の下端部はほぼ鉛直な状態でケース本体８の下側に延在する。
【００２７】
そして、錠前４の掛金口６に挿入されたとき、正常な位置関係で挿入されたときには、換言すれば真っ直ぐに入ったときには、圧縮コイルばねの弾力を介して前記フックレバー５（図１参照）を掛金３によって制御し、施錠が行われる。
【００２８】
一方、錠前４に対し、掛金が少し水平方向（トラックの前後方向）に変移している場合には、掛金機構の錠前方向への下降に際し、掛金の下端が掛金口６の傾斜開口縁と干渉する場合も考えられる。
【００２９】
しかしこの場合には、前記した隙間εの存在により掛金３がケース内で遊動でき、また図６に鎖線で示すように傾斜することもできるから、上記した干渉を避けるように自動的に掛金３が傾動し、したがって施錠が正常に行われる。
【００３０】
施錠後掛金を係止する力は掛金の下端と係止部との直接の係合を介して伝達されるから、錠止装置の性能が損われることもない。
【００３１】
なお、上記した本発明による掛金機構の自動調整機能は、掛金の下端と錠前の掛金口が平行ではなく斜交する場合にも働くことは勿論である。
【図面の簡単な説明】
【００３２】
【図１】トラック用錠の作動を説明するための側面図。
【図２】錠前の一例を示す外観斜視図。
【図３】掛金の正面図。
【図４】ケース本体の内面を示す正面図。
【図５】この発明の要部を示すケース本体の断面図。
【図６】この発明の一実施例による掛金機構の側面図。
【符号の説明】
【００３３】
１  シャッター
２  掛金機構
３  掛金
４  錠前
５  フックレバー
６  掛金口
７  ストッパ杆
８  ケース本体
９  凹部
１１  係止部
１２  ばね保持段部
１３  ばね保持凹部
１５  ばね
１６  スペーサ
【図１】
2006177044.tif 000003
【図２】
2006177044.tif 000004
【図３】
2006177044.tif 000005
【図４】
2006177044.tif 000006
【図５】
2006177044.tif 000007
【図６】
2006177044.tif 000008